(57)【要約】【課題】熱源で発生する回収可能熱量をより多く回収して利用できる排熱回収システムを提供する。【解決手段】廃熱ボイラ１６で熱源となるエンジン１０から排熱回収をして蒸気発生を行う際に、熱源から回収可能な熱量が廃熱ボイラ１６の使用熱量を上回ることとなるときに、温度コントローラ３２によって、廃熱ボイラ用給水タンク側予熱循環系から給水タンク側予熱循環系へ切り換えて通水させて給水タンク３４側で余熱回収を行わせることにより、熱源から回収可能な熱量のうちで廃熱ボイラ１６での使用熱量を上回る熱量を給水タンク３４側で回収して有効利用させる。【選択図】      図２
2004257601.tif 000002
【特許請求の範囲】
【請求項１】
熱源となるエンジンから排出される高温排気ガスから排熱回収を行う廃熱ボイラと、
前記エンジンの冷却水から熱交換器を介して熱回収をする廃熱ボイラ用給水タンク側予熱循環系に通水することにより得られた温水を、前記廃熱ボイラへ供給する廃熱ボイラ用給水タンクと、
前記エンジンの冷却水から前記熱交換器を介して熱回収をするため別途設けられた給水タンク側予熱循環系に通水することにより貯留水を温水として利用可能とする給水タンクと、
前記熱交換器で熱交換された温水を、廃熱ボイラ用給水タンク側予熱循環系又は給水タンク側予熱循環系へ通水する流路切替え手段と、
前記廃熱ボイラ用給水タンクに貯留された温水の温度を測定する温度センサと、
前記温度センサの検出温度に基づき、前記流路切替え手段を操作して廃熱ボイラ用給水タンク側予熱循環系又は給水タンク側予熱循環系の流路に切り換える制御手段と、
を有することを特徴とする排熱回収システム。
【請求項２】
熱源となるエンジンから排出される高温排気ガスから排熱回収を行う廃熱ボイラと、
前記廃熱ボイラに温水を供給する廃熱ボイラ用給水タンクと、
前記熱源となる前記エンジンの冷却水から熱回収をする熱交換器と、
前記廃熱ボイラ用給水タンク内の貯留水を第１循環ポンプで送水するよう設けられた出水管に、入水切り換え用の三方弁を介して接続された供給管路で前記熱交換器に通水し、前記熱交換器で昇温された温水を通す排出管路に出水切り換え用の三方弁を介して接続された第１の復帰水管で、前記廃熱ボイラ用給水タンク内へ温水を循環させる廃熱ボイラ用給水タンク側予熱循環系と、
前記廃熱ボイラ用給水タンクへ供給可能な水を貯留する給水タンクと、
前記給水タンク内の貯留水を第２循環ポンプで送水するよう設けられた出水管路から分岐し、開閉弁を介して前記廃熱ボイラ用給水タンク内に送水可能に設けられた給水用配管と、
前記出水管路の出口に、前記入水切り換え用の三方弁を介して接続された前記供給管路で前記熱交換器に通水し、前記熱交換器で昇温された温水を通す前記排出管路に前記出水切り換え用の三方弁を介して接続された第２の復帰水管で、前記給水タンク内へ温水を循環させる給水タンク側予熱循環系と、
前記廃熱ボイラ用給水タンク内の貯留水の温度に対応して前記入水切り換え用の三方弁及び前記出水切り換え用の三方弁と前記第１、第２循環ポンプの切り換え操作を行うことにより、前記熱交換器に対して通水する、前記廃熱ボイラ用給水タンク側予熱循環系と、前記給水タンク側予熱循環系とを、切り換える制御を行う制御手段と、
を有することを特徴とする排熱回収システム。
【請求項３】
前記給水タンク側予熱循環系の流路上に減圧弁が設けられていることを特徴とする請求項１又は請求項２に記載の排熱回収システム。
【請求項４】
前記給水タンク側予熱循環系に、ボイラから出る余熱回収用の連続ブロー熱回収装置を設置して、前記給水タンク側予熱循環系の流路を流れる水が昇温されるように構成したことを特徴とする請求項１乃至請求項３のいずれかに記載の排熱回収システム。
【発明の詳細な説明】
【０００１】
【発明の属する技術分野】
この発明は、工場等で利用される熱併給発電（コジェネレイション）システムとして利用可能な排熱回収システムに関する。
【０００２】
【従来の技術】
一般に、排熱回収システムとしての熱併給発電（コジェネレイション）システムでは、ディーゼル発電機等から出る排出ガスから保有熱を回収する廃熱ボイラを設置し、蒸気を発生させ、これを暖房などに利用することで、総合熱効率の向上を図っている。
【０００３】
このような従来のディーゼル発電機コジェネレイションのシステムには、エンジンの排気ガスを廃熱ボイラによって蒸気として回収し、ボイラ室に供給してエネルギを捨てることなく利用すると共に、エンジン冷却水が温水であるため、この温水から回収したエネルギを冬の暖房用のエネルギとして活用するものが実施されている。
【０００４】
このディーゼル発電機コジェネレイションのシステムでは、工場に供給される暖房用温水の戻り温水である４０℃〜４２℃の温水と、約６０℃のエンジン冷却水との間で熱交換している。この熱交換されたエンジン冷却水は、クーリングタワで４０℃に冷却されてから、ディーゼル発電機の冷却水として再利用される。なお、このディーゼル発電機コジェネレイションのシステムは、暖房の必要の無い冬以外の季節に、エンジン冷却水の有する回収可能熱量を放熱している。
【０００５】
【非特許文献１】
財団法人  省エネルギーセンター  住所  東京都中央区八丁堀３−１９−９ジオ八丁堀  平成５年９月２８日発行
第１９回省エネルギー推進全国大会省エネルギー実施事例発表関東地区大会事例集  ２５５頁から２６２頁
【０００６】
【発明が解決しようとする課題】
前述のような従来のディーゼル発電機コジェネレイションのシステムでは、エンジン冷却水の有する回収可能熱量を冬の暖房に利用しているため、冬以外の季節にエンジン冷却水の有する回収可能熱量を無駄に放熱することになる。これと共に、エンジン冷却水は、ディーゼル発電機の冷却水として再利用するため、クーリングタワで４０℃に冷却されるので、エンジン冷却水の有する回収可能熱量の一部がクーリングタワから無駄に放熱されることになる。
【０００７】
本発明は上記事実を考慮し、熱源となるエンジンで発生する熱量をより多く回収して利用できる排熱回収システムを提供することを目的とする。
【０００８】
【課題を解決するための手段】
本発明の請求項１に記載の排熱回収システムは、熱源となるエンジンから排出される高温排気ガスから排熱回収を行う廃熱ボイラと、エンジンの冷却水から熱交換器を介して熱回収をする廃熱ボイラ用給水タンク側予熱循環系に通水することにより得られた温水を、廃熱ボイラへ供給する廃熱ボイラ用給水タンクと、エンジンの冷却水から熱交換器を介して熱回収をするため別途設けられた給水タンク側予熱循環系に通水することにより貯留水を温水として利用可能とする給水タンクと、熱交換器で熱交換された温水を、廃熱ボイラ用給水タンク側予熱循環系又は給水タンク側予熱循環系へ通水する流路切替え手段と、廃熱ボイラ用給水タンクに貯留された温水の温度を測定する温度センサと、温度センサの検出温度に基づき、流路切替え手段を操作して廃熱ボイラ用給水タンク側予熱循環系又は給水タンク側予熱循環系の流路に切り換える制御手段と、を有することを特徴とする。
【０００９】
上述のように構成することにより、この排熱回収システムでは、廃熱ボイラ用給水タンク内の貯留水を廃熱ボイラ用給水タンク側予熱循環系に通水しエンジンの冷却水から熱交換器を介して熱回収をして得られた温水を廃熱ボイラへ供給すると共に、この廃熱ボイラでエンジンから排出される高温排気ガスから排熱回収をして蒸気発生を行う。そして、温度センサが、廃熱ボイラ用給水タンク内の貯留水が所定温度まで昇温して熱源となるエンジンから回収可能な熱量が廃熱ボイラの使用熱量を上回るような場合になることを検知した際に、制御手段によって流路切替え手段を操作して廃熱ボイラ用給水タンク側予熱循環系と給水タンク側予熱循環系とを切り換えて通水させることにより、給水タンク側で余熱回収を行う。これにより、熱源となるエンジンから回収可能な熱量のうち、廃熱ボイラで使用しきれず無駄に放熱していた熱量を、給水タンク側で回収して有効利用を図り、総合熱効率を向上させることができる。
【００１０】
本発明の請求項２に記載の排熱回収システムは、熱源となるエンジンから排出される高温排気ガスから排熱回収を行う廃熱ボイラと、廃熱ボイラに温水を供給する廃熱ボイラ用給水タンクと、熱源となるエンジンの冷却水から熱回収をする熱交換器と、廃熱ボイラ用給水タンク内の貯留水を第１循環ポンプで送水するよう設けられた出水管に、入水切り換え用の三方弁を介して接続された供給管路で熱交換器に通水し、熱交換器で昇温された温水を通す排出管路に出水切り換え用の三方弁を介して接続された第１の復帰水管で、廃熱ボイラ用給水タンク内へ温水を循環させる廃熱ボイラ用給水タンク側予熱循環系と、廃熱ボイラ用給水タンクへ供給可能な水を貯留する給水タンクと、給水タンク内の貯留水を第２循環ポンプで送水するよう設けられた出水管路から分岐し、開閉弁を介して廃熱ボイラ用給水タンク内に送水可能に設けられた給水用配管と、出水管路の出口に、入水切り換え用の三方弁を介して接続された供給管路で熱交換器に通水し、熱交換器で昇温された温水を通す排出管路に出水切り換え用の三方弁を介して接続された第２の復帰水管で、給水タンク内へ温水を循環させる給水タンク側予熱循環系と、廃熱ボイラ用給水タンク内の貯留水の温度に対応して入水切り換え用の三方弁及び出水切り換え用の三方弁と第１、第２循環ポンプの切り換え操作を行うことにより、熱交換器に対して通水する、廃熱ボイラ用給水タンク側予熱循環系と、給水タンク側予熱循環系とを、切り換える制御行う制御手段と、を有することを特徴とする。
【００１１】
上述のように構成することにより、この排熱回収システムでは、廃熱ボイラ用給水タンク内の貯留水を廃熱ボイラ用給水タンク側予熱循環系に通水しエンジンの冷却水から熱交換器を介して熱回収をして得られた温水を廃熱ボイラへ供給すると共に、この廃熱ボイラでエンジンから排出される高温排気ガスから排熱回収をして蒸気発生を行う。そして、温度センサが、廃熱ボイラ用給水タンク内の貯留水が所定温度まで昇温して熱源となるエンジンから回収可能な熱量が廃熱ボイラの使用熱量を上回るような場合になることを検知した際に、制御手段によって、入水切り換え用の三方弁及び出水切り換え用の三方弁と第１、第２循環ポンプの切り換え操作を行い、廃熱ボイラ用給水タンク側予熱循環系と給水タンク側予熱循環系とを切り換えて通水させることにより、給水タンク側で余熱回収を行う。これにより、熱源となるエンジンから回収可能な熱量のうち、廃熱ボイラで使用しきれず無駄に放熱していた熱量を、給水タンク側で回収して有効利用を図り、総合熱効率を向上させることができる。
【００１２】
さらに、給水タンク側予熱循環系の管路は、廃熱ボイラ用給水タンク側予熱循環系の管路の一部である供給管路及び排出管路を部分的に利用しているから新たに作る管路の長さを短縮することができ、さらに入水切り換え用の三方弁と出水切り換え用の三方弁とを新たに追加するだけで足りるので、全体としてコストの削減を図ることができる。
【００１３】
また、廃熱ボイラ用給水タンク側予熱循環系で廃熱ボイラ用給水タンク内の貯留水を循環させるときは出水管の第１循環ポンプを使用でき、給水タンク側予熱循環系で給水タンク内の貯留水を循環させるときは出水管路の第２循環ポンプを使用できるから、新たに循環ポンプを追加して設置する必要がないので、構成を簡素化して設備を作る際のコストを削減できる。
【００１４】
請求項３に記載の発明は、請求項１又は請求項２に記載の排熱回収システムにおいて、給水タンク側予熱循環系の流路上に減圧弁が設けられていることを特徴とする。
【００１５】
上述のように構成することにより、前述した請求項１又は請求項２に記載の発明における作用、効果に加えて、給水タンク側予熱循環系に配置された第２循環ポンプの圧力が高くても、減圧弁で廃熱ボイラ用給水タンク側予熱循環系の圧力まで下げて支障無く送水できる。
【００１６】
請求項４に記載の発明は、請求項１乃至請求項３のいずれかに記載の排熱回収システムにおいて、給水タンク側予熱循環系に、ボイラから出る余熱回収用の連続ブロー熱回収装置を設置して、給水タンク側予熱循環系の流路を流れる水が昇温されるように構成したことを特徴とする。
【００１７】
上述のように構成することにより、前述した請求項１乃至請求項３のいずれかに記載の発明における作用、効果に加えて、ボイラから出る余熱を回収するための連続ブロー熱回収装置により、ボイラから出る余熱で給水タンク側予熱循環系の流路を流れる水を昇温させるようにし、熱エネルギをより有効に利用できるようにする。
【００１８】
【発明の実施の形態】
本発明の熱併給発電（コジェネレイション）システムに係わる実施の形態について、図１及び図２により説明する。
【００１９】
図１及び図２に示す排熱回収システムとしての熱併給発電システムでは、熱併給発電用の熱源となる複数（ここでは２台）のディーゼル発電機１０（ここでは、５８５ｋＷ）におけるエンジンを冷却する冷却水（８０℃から９０℃の温水）用のプレート型熱交換器１２で余熱を回収して温水を発生させ、この温水を廃熱ボイラ１６又は大型ボイラ１８に給水して利用することで、総合熱効率の向上を図るよう構成されている。
【００２０】
この廃熱ボイラ１６は、ディーゼル発電機１０（回収可能熱量２４０Ｍｃａｌ／ｈ）のディーゼルエンジンから排出される排出ガスの保有熱を利用して蒸気発生（発生蒸気量１４００ｋｇ／ｈ、廃熱回収熱量９８Ｍｃａｌ／ｈ）を行うように構成されている。このため、図１及び図２に一点鎖線で示すように、各ディーゼル発電機１０から排出ガスを廃熱ボイラ１６へ供給する通気路が設けられている。
【００２１】
さらに、廃熱ボイラ１６は、ディーゼル発電機１０の高温の排気ガスによって発生した水蒸気を、蒸気主管６０によって図示しない所定の水蒸気利用部所へ送給するよう構成されている。
【００２２】
熱併給発電システムでは、各ディーゼル発電機１０におけるエンジンを冷却する冷却水（温水）用に各々対応した熱交換器１２を設置する。なお、各ディーゼル発電機１０には、それぞれディーゼルエンジン冷却用のラジエータ１０Ａを設ける。
【００２３】
そして、各ディーゼル発電機１０と対応する熱交換器１２との間には、ディーゼル発電機１０から引き出された高温の流体（ディーゼル発電機１０から取り出された８０℃から９０℃といった高温の液体である冷却水）を熱交換器１２の伝熱部に通してから排出するための管路１４を設ける。
【００２４】
これらの各熱交換器１２には、それぞれ熱交換器１２の伝熱部で高温の流体から熱量を吸収して回収するための流体である水（なお、その他の液体又は気体によって、コジェネレイションシステムを構築しても良い）を熱交換器１２の伝熱部に供給する供給管路２０と、熱交換器１２の伝熱部で加熱された温水を引き出す排出管路２２とを設ける。
【００２５】
この供給管路２０は、その各熱交換器１２へ向けて分岐する分岐点２０Ａより上流側の始端部に配置した入水切り換え用の三方弁２４（流路切替え手段）における第１の管口部を接続する。この入水切り換え用の三方弁２４（流路切替え手段）における第２の管口部には、廃熱ボイラ用給水タンク２６の出水管２８を接続する。この出水管２８には、その管路上に第１循環ポンプ３０を設置する。
【００２６】
この第１循環ポンプ３０は、制御手段としての温度コントローラ３２で駆動制御される。この制御手段としての温度コントローラ３２は、廃熱ボイラ用給水タンク２６内に貯留されている水の温度を温度センサ３２Ａで計測（測定）して、貯留水が所定の温度（ここでは７０℃）未満のときに第１循環ポンプ３０を駆動し、貯留水が所定の温度（ここでは７０℃）となったときに第１循環ポンプ３０を停止させる自動制御を実行可能に構成されている。
【００２７】
このため、温度コントローラ３２は、廃熱ボイラ用給水タンクの温度センサ３２Ａによって廃熱ボイラ用給水タンク２６内に貯留されている水の温度を計測するように構成されている。
【００２８】
この入水切り換え用の三方弁２４（流路切替え手段）における第３の管口部には、大型ボイラ用給水タンク３４（容量７０ｍ３、給水量３０ｔ／ｈ）の出水管路３６の出口を接続する。この入水切り換え用の三方弁２４（流路切替え手段）は、制御手段としての温度コントローラ３２により、送水方向を切り換える自動制御が行われるように構成されている。
【００２９】
すなわち、この入水切り換え用の三方弁２４は、制御手段としての温度コントローラ３２の自動制御により、大型ボイラ用給水タンク３４の出水管路３６から送水された水が供給管路２０を通じて熱交換器１２へ送水される方向と、廃熱ボイラ用給水タンク２６の出水管２８から送水された水が供給管路２０を通じて熱交換器１２へ送水される方向とに切り換えられる。
【００３０】
また、廃熱ボイラ用給水タンク２６内に貯留されている廃熱ボイラ供給用の水が所定レベル以下となったときに水を大型ボイラ用給水タンク３４の出水管路３６から給水するために、出水管路３６から分岐し開閉弁３８を介して廃熱ボイラ用給水タンク２６内に臨む給水用配管４０を設ける。
【００３１】
さらに廃熱ボイラ用給水タンク２６には、その内部に貯留されている廃熱ボイラ供給用の水量（貯留水位）を計測し、この水量が不足する所定量以下となったときに自動的に開閉弁３８を開いて満水まで給水してから開閉弁３８を閉じる制御を行う給水コントローラ４２を設ける。
【００３２】
排出管路２２には、２個の熱交換器１２から合流する合流点２２Ａより下流側に配置した出水切り換え用の三方弁４６（流路切替え手段）における第１の管口部を接続する。この出水切り換え用の三方弁４６（流路切替え手段）における第２の管口部には、廃熱ボイラ用給水タンク２６内へ温められた水を循環させるための第１の復帰水管４４を接続する。
【００３３】
この出水切り換え用の三方弁４６（流路切替え手段）における第３の管口部には、大型ボイラ用給水タンク３４内へ温められた水を循環させるための第２の復帰水管４８を接続する。
【００３４】
この出水切り換え用の三方弁４６（流路切替え手段）は、制御手段としての温度コントローラ３２により、送水方向を切り換える自動制御が行われるように構成されている。すなわち、この出水切り換え用の三方弁４６は、制御手段としての温度コントローラ３２の自動制御により、排出管路２２を通じて送水されてきた温水が第１の復帰水管４４を通じて廃熱ボイラ用給水タンク２６内へ送水される方向と、排出管路２２を通じて送水されてきた温水が第２の復帰水管４８を通じて大型ボイラ用給水タンク３４内へ送水される方向とに切り換えられる。
【００３５】
この廃熱ボイラ用給水タンク２６側では、前述のように配管された第１循環ポンプ３０を備えた出水管２８、入水切り換え用の三方弁２４、供給管路２０、排出管路２２及び第１の復帰水管４４によって、廃熱ボイラ用給水タンク側予熱循環系が構成される。
【００３６】
廃熱ボイラ用給水タンク２６と廃熱ボイラ１６との間には、廃熱ボイラ給水用管路５０が配管されている。この廃熱ボイラ給水用管路５０の一部には、廃熱ボイラ給水ポンプ５２が設置されている。
【００３７】
この廃熱ボイラ用給水タンク２６内に貯留されている予熱された温水は、廃熱ボイラ給水ポンプ５２を駆動することにより廃熱ボイラ給水用管路５０内を送水されて、廃熱ボイラ１６へ供給される。
【００３８】
図２に示すように、大型ボイラ用給水タンク３４と、入水切り換え用の三方弁２４との間に配管された出水管路３６には、大型ボイラ用給水タンク３４側から順に、第２循環ポンプ５４と、連続ブロー熱回収装置５６と、大型ボイラへ送水するよう分岐された送水管路６２と、減圧弁５８とが設置されている。
【００３９】
この第２循環ポンプ５４は、大型ボイラ用給水タンク３４内に貯留されている水を、出水管路３６を通じて送水するためのポンプであり、ここでは、３０ｋＷ、１．９Ｍｐａの出力を有する。
【００４０】
また、連続ブロー熱回収装置５６には、大型ボイラ１８から出る排ガスを導入するための送気管７４が接続されている。この連続ブロー熱回収装置５６は、その内部で排ガスの保有熱を出水管路３６を通じて送られる水との間で熱交換して熱エネルギを回収する、一般に用いられている熱回収用の装置として構成する。
【００４１】
減圧弁５８は、第２循環ポンプ５４により比較的高い圧力（ここでは１．９Ｍｐａ）に加圧されて、出水管路３６内を送水されてきた水の圧力を、第１循環ポンプ３０で比較的低い圧力に加圧されて廃熱ボイラ用給水タンク側予熱循環系を循環する水の圧力（ここでは０．３Ｍｐａ）まで減圧させる機能を有する。
【００４２】
この大型ボイラ用給水タンク３４側では、前述のように配管された出水管路３６、入水切り換え用の三方弁２４、供給管路２０、排出管路２２、出水切り換え用の三方弁４６及び第２の復帰水管４８によって、大型ボイラ用給水タンク側予熱循環系が構成される。
【００４３】
この大型ボイラ用給水タンク側予熱循環系における出水管路３６には、連続ブロー熱回収装置５６と減圧弁５８との間に大型ボイラへ送水する為の送水管路６２が分岐するように接続されている。
【００４４】
この送水管路６２は、熱交換器６４と、給水制御弁６６とを介して大型ボイラ１８に接続されている。この熱交換器６４は、熱源となる別途設置されたディーゼル発電機６８におけるエンジンを冷却する冷却水用のプレート型熱交換器１２として構成されている。なお、ディーゼル発電機６８には、それぞれディーゼルエンジン冷却用のラジエータ７０を設ける。
【００４５】
このディーゼル発電機６８と熱交換器６４との間には、ディーゼル発電機６８から引き出された高温の冷却水を熱交換器６４の伝熱部に通してから排出するための管路７２を設ける。
【００４６】
そして、ディーゼル発電機６８を冷却する冷却水を管路７２で循環させ、熱交換器６４によって送水管路６２で送水されてきた水との間で熱交換させ余熱を回収してより高い温度の温水を発生させ、このより高い温度の温水を大型ボイラ１８に給水して利用することで、総合熱効率の向上を図るよう構成されている。
【００４７】
次に、本実施の形態に係わる排熱回収システムとしての熱併給発電（コジェネレイション）システムにおいて、余熱を回収する際の作用及び動作について説明する。
【００４８】
この熱併給発電システムでは、例えば周囲温度が比較的低いときに運転したときに、ディーゼル発電機１０から回収可能な熱量が廃熱ボイラ１６使用熱量以下となる場合がある。
【００４９】
この場合には、熱併給発電システムの配管系を、図１に実線で示す廃熱ボイラ用給水タンク側予熱循環系に切り換えた状態で運転する。この切換制御では、制御手段としての温度コントローラ３２が入水切り換え用の三方弁２４を出水管２８から供給管路２０側へ水が流れるように切り換えると共に、温度コントローラ３２が出水切り換え用の三方弁４６を排出管路２２から第１の復帰水管４４側へ水が流れるように切り換える。
【００５０】
さらに、制御手段としての温度コントローラ３２は、第１循環ポンプ３０を駆動し、廃熱ボイラ用給水タンク２６内に貯留されている水を出水管２８、入水切り換え用の三方弁２４及び供給管路２０を通じて各熱交換器１２へ送水し、ディーゼル発電機１０のディーゼルエンジン冷却水との間で熱交換し、排出管路２２、出水切り換え用の三方弁４６及び第１の復帰水管４４を通じて廃熱ボイラ用給水タンク２６内へ戻す廃熱ボイラ用給水タンク側予熱循環動作を行わせる。
【００５１】
この廃熱ボイラ用給水タンク側予熱循環動作により、廃熱ボイラ用給水タンク２６内に貯留されている貯留水は、廃熱ボイラ１６の水管にストレスを与えない所定温度に昇温し、廃熱ボイラ１６に供給するのに適した温水となる。
【００５２】
廃熱ボイラ用給水タンク２６では、その内部の貯留水が所定温度に昇温されると、廃熱ボイラ給水ポンプ５２が駆動されて、廃熱ボイラ用給水タンク２６に貯留されていた温水が廃熱ボイラ１６へ供給され、ディーゼル発電機１０の高温の排気ガスによって水蒸気に変えられ、蒸気主管６０によって図示しない所定の水蒸気利用部所へ送給される。
【００５３】
また、廃熱ボイラ用給水タンク２６では、その内部に貯留されている廃熱ボイラ供給用の水量（貯留水位）を計測し、この水量が不足する所定量以下となったときに、給水コントローラ４２が自動的に開閉弁３８を開いて満水まで給水してから開閉弁３８を閉じる動作を行う。
【００５４】
この熱併給発電システムの配管系を、図１に実線で示す廃熱ボイラ用給水タンク側予熱循環系に切り換えた状態で運転する場合には、ディーゼル発電機１０のディーゼルエンジンの冷却水から回収した熱量と、ディーゼル発電機１０の排出ガスから回収した熱量とを合わせた廃熱回収熱量は、９８Ｍｃａｌ／ｈとなる。
【００５５】
次に、熱併給発電システムで、例えば周囲温度が比較的高いときに運転したとき、又は廃熱ボイラ用給水タンク２６内の貯留水の温度が７０℃以上となってディーゼルエンジン冷却用のラジエータ１０Ａから放熱する場合等のようにディーゼル発電機１０から回収可能な熱量が廃熱ボイラ１６使用熱量以上となる場合の作用及び動作について説明する。
【００５６】
この場合には、熱併給発電システムの配管系を、図２に実線で示す大型ボイラ用給水タンク側予熱循環系に切り換えた状態で運転する。この切換制御では、温度コントローラ３２が、廃熱ボイラ用給水タンクの温度センサ３２Ａによって廃熱ボイラ用給水タンク２６内に貯留されている水温が７０℃となったことを検知したときに、入水切り換え用の三方弁２４を出水管路３６から供給管路２０側へ水が流れるように切り換えると共に、制御手段としての温度コントローラ３２が出水切り換え用の三方弁４６を排出管路２２から第２の復帰水管４８側へ水が流れるように切り換える。さらに、制御手段としての温度コントローラ３２は、第１循環ポンプ３０を停止させる。
【００５７】
なお、制御手段としての温度コントローラ３２は、廃熱ボイラ用給水タンク２６内に貯留されている水の温度を計測する廃熱ボイラ用給水タンクの温度センサ３２Ａを利用するように構成されているから、温度コントローラ３２が入水切り換え用の三方弁２４と出水切り換え用の三方弁４６とを制御するためのセンサを新たに設ける必要がなく、追加設備の費用を削減できる。
【００５８】
この制御手段としての温度コントローラ３２の制御動作に伴なって大型ボイラ用給水タンク側予熱循環系では、出水管路３６に設けた第２循環ポンプ５４が制御手段により駆動され、大型ボイラ用給水タンク３４内に貯留されている水を出水管路３６の連続ブロー熱回収機５６と減圧弁５８とを介して送水し、入水切り換え用の三方弁２４及び供給管路２０を通じて各熱交換器１２へ送水し、ディーゼル発電機１０のディーゼルエンジン冷却水との間で熱交換し、排出管路２２、出水切り換え用の三方弁４６及び第２の復帰水管４８を通じて大型ボイラ用給水タンク３４内へ戻す大型ボイラ用給水タンク側予熱循環動作を行わせる。
【００５９】
この大型ボイラ用給水タンク３４内へ戻す大型ボイラ用給水タンク側予熱循環動作により、大型ボイラ用給水タンク３４内に貯留されている貯留水は、昇温し温水となる。なお、この大型ボイラ用給水タンク側予熱循環動作は、大型ボイラ用給水タンク３４における他の用途（大型ボイラ１８への給水用）で設置が不可欠な第２循環ポンプ５４を利用して行うことができるので、大型ボイラ用給水タンク側予熱循環系専用の循環ポンプを新たに設ける場合に比べて設備費を削減できる。さらに、第２循環ポンプ５４と大型ボイラ用給水タンク側予熱循環系専用の循環ポンプとを設け、これらを同時に駆動する場合に比べて、第２循環ポンプ５４を駆動する電力が必要なだけであるから、省電力化を図ることができる。
【００６０】
大型ボイラ用給水タンク３４は、その内部の貯留水が昇温されて温水となっている状態で、給水制御弁６６に対する給水制御動作に連動して第２循環ポンプ５４を駆動し、出水管路３６及び送水管路６２の配管系を通じて大型ボイラ１８に温水を給水する。
【００６１】
よって、大型ボイラ１８では、連続ブロー熱回収装置５６と熱交換器６４とでより高い温度に予熱された温水を加熱して水蒸気（熱水でも良い）を発生させることになるので、冷水を加熱するのに比べて、エネルギを省略し、コストダウンを図り、二酸化炭素の発生量を削減することができる。
【００６２】
なお、大型ボイラ１８では、発生した水蒸気を図示しない蒸気主管によって蒸気溜へ送給してから、水蒸気利用部所で利用する。また、大型ボイラ用給水タンク３４では、その内部に貯留されている供給用の水量（貯留水位）を計測し、この水量が不足する所定量以下となったときに、自動的に外部から満水まで給水される。
【００６３】
このように、大型ボイラ用給水タンク側予熱循環系を利用して廃熱回収を行う場合には、廃熱ボイラ用給水タンク２６内に貯留されている貯留水の水温が設定温度（例えば７０℃）となり廃熱ボイラ用給水タンク側予熱循環系ではディーゼル発電機１０の廃熱を回収しきれなくなったときにディーゼル発電機１０のディーゼルエンジン冷却用のラジエータ１０Ａで放熱させていた熱を、略７０％回収可能となった。
【００６４】
このことより、図２に示す熱併給発電システムでは、大型ボイラ用給水タンク側予熱循環系を利用した廃熱回収熱量の増加分が、下記の式から求められる２３８Ｍｃａｌ／ｈとなることが実際の運転で確認できた。
【００６５】
式      ｛（２４０×２）×０．７｝−９８＝２３８（Ｍｃａｌ／ｈ）
また、この熱併給発電システムでは、制御手段としての温度コントローラ３２が、廃熱ボイラ用給水タンクの温度センサ３２Ａによって廃熱ボイラ用給水タンク２６内に貯留されている水温が７０℃未満の所定低温度となったことを検知したときに、入水切り換え用の三方弁２４と出水切り換え用の三方弁４６とを制御して、大型ボイラ用給水タンク側予熱循環系から廃熱ボイラ用給水タンク側予熱循環系へ切り換えて、廃熱ボイラ用給水タンク２６内に貯留されている貯留水を循環させて水温が７０℃以上となるように制御動作させる。
【００６６】
このように制御することにより、廃熱ボイラ用給水タンク２６内の貯留水の水温変動幅を所定の枠内で維持できる。
【００６７】
また、上述の実施の形態では、大型ボイラ用給水タンク３４内の貯留水を、大型ボイラ用給水タンク側予熱循環系を循環させることにより、直接に熱交換器１２で加熱する手段について説明したが、廃熱ボイラ用給水タンク２６内の貯留水と、大型ボイラ用給水タンク３４内の貯留水とを循環させて、大型ボイラ用給水タンク３４内の貯留水で熱回収を行うようにしても良い。
【００６８】
この場合には、廃熱ボイラ用給水タンク２６と大型ボイラ用給水タンク３４との間で、それぞれの内部に貯留されている貯留水を循環させる循環管路系を新たに設け、この循環管路系に新たにポンプを設け、さらに廃熱ボイラ用給水タンク２６側に設けたポンプ発停用レベルスイッチによってポンプを駆動制御することにより、循環管路系を通じて廃熱ボイラ用給水タンク２６と大型ボイラ用給水タンク３４との間で、それぞれの内部に貯留されている貯留水を循環させ、大型ボイラ用給水タンク３４内の貯留水で熱回収を行うようにできる。
【００６９】
【発明の効果】
本発明の排熱回収システムによれば、発電のための熱源で発生する熱量をより多く回収して利用できるという効果がある。
【図面の簡単な説明】
【図１】本発明の実施の形態に係る排熱回収システムにおける廃熱ボイラ用給水タンク側予熱循環系を実線で示した配管系要部の概略構成図である。
【図２】本発明の実施の形態に係る排熱回収システムにおける大型ボイラ用給水タンク側予熱循環系を実線で示した配管系要部の概略構成図である。
【符号の説明】
１０  ディーゼル発電機
１２  熱交換器
１６  廃熱ボイラ
１８  大型ボイラ
２０  供給管路
２２  排出管路
２４  入水切り換え用の三方弁（流路切替え手段）
２６  廃熱ボイラ用給水タンク
２８  出水管
３０  第１循環ポンプ
３２  温度コントローラ（制御手段）
３４  大型ボイラ用給水タンク
３６  出水管路
４４  第１の復帰水管
４６  出水切り換え用の三方弁（流路切替え手段）
４８  第２の復帰水管
５０  廃熱ボイラ給水用管路
５２  廃熱ボイラ給水ポンプ
５４  第２循環ポンプ
【図１】
2004257601.tif 000003
【図２】
2004257601.tif 000004